(57)【特許請求の範囲】
【請求項１】
閉鎖加入者グループ（ＣＳＧ）身元状態のアップデート方法であって、
基地局はアップデートされたユーザ端末（ＵＥ）のＣＳＧ身元状態情報を取得し、前記アップデートされたＣＳＧ身元状態情報に基づいてアップデート操作を実行することを含み、前記基地局はマスター基地局（ＭｅＮＢ）或いはセカンダリー基地局（ＳｅＮＢ）であり、
前記基地局がＭｅＮＢである場合、前記アップデートされたＣＳＧ身元状態情報に基づいてアップデート操作を実行することは、
ＭｅＮＢは前記アップデートされたＣＳＧ身元状態情報に基づいてＳｅＮＢ修正プロセスを開始し、
或いは、ＭｅＮＢは前記アップデートされたＣＳＧ身元状態情報に基づいてＳｅＮＢリリースプロセスを開始し、
或いは、ＭｅＮＢは前記アップデートされたＣＳＧ身元状態情報に基づいてセル切り替えプロセスを開始し、
或いは、ＭｅＮＢは前記アップデートされたＣＳＧ身元状態情報に基づいてＳ１リリースプロセスを開始し、
或いは、ＭｅＮＢは前記アップデートされたＣＳＧ身元状態情報に基づいてＳｅＮＢリリースとセル切り替えプロセスを開始し、
或いは、ＭｅＮＢは前記アップデートされたＣＳＧ身元状態情報に基づいてＳｅＮＢリリースとＳ１リリースプロセスを開始し、
前記基地局がＳｅＮＢである場合、前記アップデートされたＣＳＧ身元状態情報に基づいてアップデート操作を実行することは、
ＳｅＮＢは前記アップデートされたＣＳＧ身元状態情報に基づいてＳｅＮＢ修正プロセスを開始し、
或いは、ＳｅＮＢは前記アップデートされたＣＳＧ身元状態情報に基づいてＳｅＮＢリリースプロセスを開始する、
前記方法。
【請求項２】
前記基地局がアップデートされたＵＥのＣＳＧ身元状態情報を取得することは、基地局は、ＵＥの初期コンテキスト設定要求メッセージ及び／又はＵＥのコンテキスト修正要求メッセージにより、アップデートされたＵＥのＣＳＧ身元状態情報を取得し、前記ＣＳＧ身元状態情報はＣＳＧ身元状態及び／又は対応するＣＳＧ  ＩＤを含む
請求項１に記載の方法。
【請求項３】
前記基地局がＭｅＮＢである場合、前記ＭｅＮＢは前記アップデートされたＣＳＧ身元状態情報又はＣＳＧ身元状態のアップデート指示情報をＳｅＮＢに送信することと、
前記基地局がＳｅＮＢである場合、前記ＳｅＮＢは前記アップデートされたＣＳＧ身元状態情報又はＣＳＧ身元状態のアップデート指示情報をＭｅＮＢに送信することと、を更に含み、
前記ＭｅＮＢが前記アップデートされたＣＳＧ身元状態情報又はＣＳＧ身元状態のアップデート指示情報をＳｅＮＢに送信することは、前記ＭｅＮＢはＳｅＮＢ修正プロセス或いはＳｅＮＢリリースプロセスにより、前記アップデートされたＣＳＧ身元状態情報又はＣＳＧ身元状態のアップデート指示情報を送信することであり、前記ＳｅＮＢが前記アップデートされたＣＳＧ身元状態情報又はＣＳＧ身元状態のアップデート指示情報をＭｅＮＢに送信することは、前記ＳｅＮＢはＳｅＮＢ修正プロセス或いはＳｅＮＢリリースプロセスにより、前記アップデートされたＣＳＧ身元状態情報又はＣＳＧ身元状態のアップデート指示情報を送信することである
請求項１に記載の方法。
【請求項４】
前記基地局がＭｅＮＢである場合、前記ＭｅＮＢはＳ１リリース補助情報をモビリティ管理エンティティ（ＭＭＥ）に送信することを更に含み、前記Ｓ１リリース補助情報は、
前記アップデートされたＣＳＧ身元状態情報に対応する基地局の識別子情報、
前記アップデートされたＣＳＧ身元状態情報に対応する基地局がＭｅＮＢ又はＳｅＮＢである指示情報、
Ｓ１リリースが必要ない指示情報、
Ｓ１リリースチェックを実行する必要ない指示情報、及び
デュアル接続の指示情報のうちの少なくとも一つを含む
請求項１に記載の方法。
【請求項５】
前記ＭｅＮＢはＳ１インターフェースメッセージにより、Ｓ１リリース補助情報をＭＭＥに送信し、前記Ｓ１インターフェースメッセージは、
ＵＥのコンテキスト修正応答メッセージ、
或いは、発展型無線アクセスベアラ（Ｅ―ＲＡＢ）修正指示メッセージ、
或いは、パス転送要求メッセージ、
或いは、新規Ｓ１インターフェースメッセージを含む
請求項４に記載の方法。
【請求項６】
閉鎖加入者グループ（ＣＳＧ）身元状態のアップデート方法であって、
モビリティ管理エンティティ（ＭＭＥ）はアップデートされたユーザ端末（ＵＥ）のＣＳＧ身元状態情報を基地局に送信し、前記基地局はマスター基地局（ＭｅＮＢ）或いはセカンダリー基地局（ＳｅＮＢ）であることと、
基地局はアップデートされたＵＥのＣＳＧ身元状態情報を取得し、前記アップデートされたＣＳＧ身元状態情報に基づいてアップデート操作を実行することと、を含み、
前記基地局がＭｅＮＢである場合、前記アップデートされたＣＳＧ身元状態情報に基づいてアップデート操作を実行することは、
ＭｅＮＢは前記アップデートされたＣＳＧ身元状態情報に基づいてＳｅＮＢ修正プロセスを開始し、
或いは、ＭｅＮＢは前記アップデートされたＣＳＧ身元状態情報に基づいてＳｅＮＢリリースプロセスを開始し、
或いは、ＭｅＮＢは前記アップデートされたＣＳＧ身元状態情報に基づいてセル切り替えプロセスを開始し、
或いは、ＭｅＮＢは前記アップデートされたＣＳＧ身元状態情報に基づいてＳ１リリースプロセスを開始し、
或いは、ＭｅＮＢは前記アップデートされたＣＳＧ身元状態情報に基づいてＳｅＮＢリリースとセル切り替えプロセスを開始し、
或いは、ＭｅＮＢは前記アップデートされたＣＳＧ身元状態情報に基づいてＳｅＮＢリリースとＳ１リリースプロセスを開始し、
前記基地局がＳｅＮＢである場合、前記アップデートされたＣＳＧ身元状態情報に基づいてアップデート操作を実行することは、
ＳｅＮＢは前記アップデートされたＣＳＧ身元状態情報に基づいてＳｅＮＢ修正プロセスを開始し、
或いは、ＳｅＮＢは前記アップデートされたＣＳＧ身元状態情報に基づいてＳｅＮＢリリースプロセスを開始する、
前記方法。
【請求項７】
前記ＭＭＥがアップデートされたＵＥのＣＳＧ身元状態情報を基地局に送信することは、ＭＭＥはＵＥの初期コンテキスト設定要求メッセージ及び／又はＵＥのコンテキスト修正要求メッセージを基地局に送信し、前記ＵＥの初期コンテキスト設定要求メッセージ及び／又はＵＥのコンテキスト修正要求メッセージはアップデートされたＵＥのＣＳＧ身元状態情報を含み、前記ＣＳＧ身元状態情報はＣＳＧ身元状態及び／又は対応するＣＳＧ  ＩＤを含む
請求項６に記載の方法。
【請求項８】
基地局であって、該基地局はマスター基地局（ＭｅＮＢ）或いはセカンダリー基地局（ＳｅＮＢ）であり、
アップデートされたユーザ端末（ＵＥ）の閉鎖加入者グループ（ＣＳＧ）身元状態情報を取得するように構成される取得モジュールと、
前記アップデートされたＣＳＧ身元状態情報に基づいてアップデート操作を実行するように構成されるアップデートモジュールとを備え、
前記基地局がＭｅＮＢである場合、前記アップデートモジュールは、
前記アップデートされたＣＳＧ身元状態情報に基づいてＳｅＮＢ修正プロセスを開始し、
或いは、前記アップデートされたＣＳＧ身元状態情報に基づいてＳｅＮＢリリースプロセスを開始し、
或いは、前記アップデートされたＣＳＧ身元状態情報に基づいてセル切り替えプロセスを開始し、
或いは、前記アップデートされたＣＳＧ身元状態情報に基づいてＳ１リリースプロセスを開始し、
或いは、前記アップデートされたＣＳＧ身元状態情報に基づいてＳｅＮＢリリースとセル切り替えプロセスを開始し、
或いは、前記アップデートされたＣＳＧ身元状態情報に基づいてＳｅＮＢリリースとＳ１リリースプロセスを開始するように構成され、
前記基地局がＳｅＮＢである場合、前記アップデートモジュールは、前記アップデートされたＣＳＧ身元状態情報に基づいてＳｅＮＢ修正プロセスを開始し、或いは、前記アップデートされたＣＳＧ身元状態情報に基づいてＳｅＮＢリリースプロセスを開始するように構成される、
前記基地局。
【請求項９】
前記取得モジュールは、ＵＥの初期コンテキスト設定要求メッセージ及び／又はＵＥの
コンテキスト修正要求メッセージにより、アップデートされたＵＥのＣＳＧ身元状態情報を取得するように構成され、前記ＣＳＧ身元状態情報はＣＳＧ身元状態及び／又は対応するＣＳＧ  ＩＤを含む
請求項８に記載の基地局。
【請求項１０】
前記基地局がＭｅＮＢである場合、前記アップデートモジュールは、前記アップデートされたＣＳＧ身元状態情報又はＣＳＧ身元状態のアップデート指示情報をＳｅＮＢに送信するように構成され、
前記基地局がＳｅＮＢである場合、前記アップデートモジュールは、前記アップデートされたＣＳＧ身元状態情報又はＣＳＧ身元状態のアップデート指示情報をＭｅＮＢに送信するように構成され、
前記アップデートモジュールは、ＳｅＮＢ修正プロセス或いはＳｅＮＢリリースプロセスにより、前記アップデートされたＣＳＧ身元状態情報又はＣＳＧ身元状態のアップデート指示情報を送信するように構成される
請求項８に記載の基地局。
【請求項１１】
前記基地局がＭｅＮＢである場合、前記アップデートモジュールは、Ｓ１リリース補助情報をＭＭＥに送信するように構成され、前記Ｓ１リリース補助情報は、
前記アップデートされたＣＳＧ身元状態情報に対応する基地局の識別子情報、
前記アップデートされたＣＳＧ身元状態情報に対応する基地局がＭｅＮＢ又はＳｅＮＢである指示情報、
Ｓ１リリースが必要ない指示情報、
Ｓ１リリースチェックを実行する必要ない指示情報、及び
デュアル接続の指示情報のうちの少なくとも一つを含み、
前記アップデートモジュールは、Ｓ１インターフェースメッセージにより、Ｓ１リリース補助情報をＭＭＥに送信するように構成され、前記Ｓ１インターフェースメッセージは、
ＵＥのコンテキスト修正応答メッセージ、
或いは、発展型無線アクセスベアラ（Ｅ―ＲＡＢ）修正指示メッセージ、
或いは、パス転送要求メッセージ、
或いは、新規Ｓ１インターフェースメッセージを含む
請求項８に記載の基地局。
【請求項１２】
閉鎖加入者グループ（ＣＳＧ）身元状態のアップデートシステムであって、請求項８〜１１のいずれかに一つに記載の基地局及びモビリティ管理エンティティ（ＭＭＥ）を備え、
前記ＭＭＥは、アップデートされたユーザ端末（ＵＥ）のＣＳＧ身元状態情報を基地局に送信するように構成される、前記システム。
【請求項１３】
前記ＭＭＥは、前記アップデートされたＵＥのＣＳＧ身元状態とＳ１リリース補助情報に応じてＳ１リリースプロセスを開始するかどうかを決定し、或いは、前記アップデートされたＵＥのＣＳＧ身元状態に応じてＳ１リリースプロセスを開始するかどうかを決定するように構成される
請求項１２に記載のシステム。
【発明の詳細な説明】
【技術分野】
【０００１】
本発明は無線通信分野に関し、特に閉鎖加入者グループ（ＣＳＧ：Ｃｌｏｓｅｄ  Ｓｕｂｓｃｒｉｂｅｒ  Ｇｒｏｕｐ）身元状態のアップデート方法、システム及び基地局に関する。
【背景技術】
【０００２】
無線マルチメディアサービスの発展に伴い、人々は、高データレート及びユーザ体験に対する要求が日々増加して、伝統的なセルラーネットワークのシステム容量及びカバー範囲に対して高い要求を提出している。伝統的な長期発展（ＬＴＥ）のセルラーネットワークにおいて、マクロ基地局は唯一のアクセス側のネットワーク要素をとしてユーザ端末（ＵＥ）にアクセスサービスを提供する。高データレートに対するユーザの要求を満たす且つセルラーネットワークのスペクトル効率を向上させるために、３ＧＰＰは、マクロ基地局の補助として低出力ノード（ＬＰＮ）を導入してＵＥにアクセスサービスを提供する。ＬＰＮは低コスト、低出力、配置しやすいなどの利点があり、通常にホットスポット配置とカバレッジ強化という２つの配置シーンを有し、屋内又は屋外のホットスポットエリアにおける高レートデータサービスのデータレートを有効に増加させ、エッジ領域又はセルエッジのカバーを改善できる。通常に、ＬＰＮはスモール基地局とも呼ばれ、家庭基地局（ＨｅＮＢ）、ピコ基地局（ｐｉｃｏ）、無線周波数リモートユニット／ヘッド（ＲＲＵ／ＲＲＨ）、中継ノード（ＲＮ）などを含む。ホットスポット配置シーンにおいて、より高いデータノードとスペクトル効率を達するために、エリア内に多いスモール基地局を密集に配置する必要がある。しかしながら、スモール基地局におけるスモールセル（ｓｍａｌｌ  ｃｅｌｌ）のカバー範囲が狭いので、中間高速で移動するＵＥがスモール基地局を通過するとき、切り替えの失敗の確率が高く、ＵＥのサービス連続性に影響を与える。スモールセルが導入されたＵＥの移動性を向上させるために、業界では、ある基地局（例えば、マクロ基地局）により大体のカバーが確保され、図１に示すように、ＵＥが常に該基地局と無線リソース制御（ＲＲＣ：Ｒａｄｉｏ  Ｒｅｓｏｕｒｃｅ  Ｃｏｎｔｒｏｌ）接続を保持し、スモールセルが伝送ノード（ＴＰ：Ｔｒａｎｓｍｉｓｓｉｏｎ  Ｐｏｉｎｔ）のみとして機能してより高いデータレートを提供する且つユーザからの省電力要求を満たすための方法を提出した。このようなシステムアーキテクチャにおいて、ＵＥは少なくとも２つの基地局と接続を保持する且つ２つの基地局の無線リソースを使用し、クロスノードの無線リソースアグリゲーションを実現することが可能であり、このような構成は通常にデュアル接続アーキテクチャと呼ばれる。ＵＥが接続した２つの基地局において、一定の管理制御能力を有するのは通常にマスター基地局（ＭｅＮＢ：Ｍａｓｔｅｒ  ｅＮＢ）と呼ばれ、もう１つの基地局はセカンダリー基地局（ＳｅＮＢ：Ｓｅｃｏｎｄａｒｙ  ｅＮＢ）と呼ばれる。ＵＥがＭｅＮＢにアクセスしたあと、ＳｅＮＢ追加プロセスにより、デュアル接続を実現でき、ＳｅＮＢが成功に追加されたあと該ＳｅＮＢに対して、例えば、ＳｅＮＢ修正、ＳｅＮＢ削除、ＳｅＮＢ変更など一連の管理を行ってよい。
【０００３】
デュアル接続アーキテクチャにおいて、ユーザプレーンは３つのアーキテクチャがあり、図２に示すように、アーキテクチャオプション（ｏｐｔｉｏｎ）１においてＳ１−ＵがＭｅＮＢとＳｅＮＢで終了し、アーキテクチャオプション２においてＳ１−ＵがＭｅＮＢで終了し、ＲＡＮ側にはベアラ分流がなく、アーキテクチャオプション３において、Ｓ１−ＵがＭｅＮＢで終了し、無線アクセスネットワーク（ＲＡＮ）側にベアラ分離が存在し、例えば、ＥＰＳベアラにおけるダウンリンクデータがＭｅＮＢに達したあと、１つのベアラにおける一部のデータをＳｅＮＢに分離して、ＳｅＮＢからＵＥに送信する。ＳｅＮＢのユーザプレーンプロトコルスタックアーキテクチャにより、上記３つのアーキテクチャについて更に細分することが可能である。現在、デュアル接続は、アーキテクチャオプション１における１Ａアーキテクチャ、又はアーキテクチャオプション３における３Ｃアーキテクチャを採用してもよい。アーキテクチャ１Ａは図３に示すように、アーキテクチャオプション１を採用し、且つＳｅＮＢのユーザプレーンプロトコルスタックは、独立したパケットデータコンバージェンスプロトコル（ＰＤＣＰ）層及び以下のプロトコル層を有し、即ち、無線リンク制御（ＲＬＣ）層とメディアアクセス制御（ＭＡＣ）層を含み、ベアラ分離がない。アーキテクチャ３Ｃは図４に示すように、アーキテクチャオプション３を採用し、且つＳｅＮＢのユーザプレーンプロトコルスタックは、独立した無線リンク制御（ＲＬＣ）及び以下のプロトコル層を有し、即ち、ＭＡＣ層を有する。
【０００４】
一方、デュアル接続アーキテクチャにおいて、ＨｅＮＢをＭｅＮＢ又はＳｅＮＢとして使用される可能性がある。ＨｅＮＢは、特定ユーザのみにサービス要求を提供するので、ＣＳＧの概念を導入し、各ＣＳＧは唯一の識別子、即ちＣＳＧ  ＩＤを有する。ＬＴＥにおいて、ＨｅＮＢにための３つの異なるアクセス方式を有するセルを定義し、ＣＳＧセル（閉鎖モードのＨｅＮＢに対応し、ＣＳＧメンバーとして登録されたＵＥのみがアクセスできる）、ハイブリッドセル（ｈｙｂｒｉｄ  ｃｅｌｌ）（ハイブリッドモードのＨｅＮＢに対応し、任意の端末がアクセスできるが、ＣＳＧとして登録されたＵＥがより高い優先レベルを有するメンバーとしてアクセスできる）、及び開放セル（Ｏｐｅｎ  ｃｅｌｌ）（開放モードのＨｅＮＢに対応し、任意のＵＥがアクセスできる）である。ＨｅＮＢのアクセスモードとＣＳＧ  ＩＤは、エアインターフェースを介して放送することによって得ることができる。ＨｅＮＢがＣＳＧ  ＩＤとＣＳＧ指示を放送しなければ、開放セルである。ＨｅＮＢがＣＳＧ  ＩＤと「ｔｒｕｅ」というＣＳＧ指示を放送すれば、ＣＳＧセルである。ＨｅＮＢがＣＳＧ  ＩＤと「ｆａｌｓｅ」というＣＳＧ指示を放送すれば、ハイブリッドセルである。コアネットワークのネットワーク要素とＵＥはそれぞれユーザのＣＳＧ契約情報を記憶し、それにはユーザがメンバーとしてアクセスできるＣＳＧ  ＩＤのリストが含まれている。デュアル接続アーキテクチャにおいて、ＵＥのＣＳＧ契約情報が変更された又は期限を超える場合、アップデートされたＣＳＧ身元状態を対応するＭｅＮＢ又はＳｅＮＢに知らせる必要があり、対応する後続操作を実行する。例えば、ＵＥの閉鎖セルの身元がメンバーから非メンバーに変更されると、ＵＥが該セルにアクセスすることを許可されない。ＵＥのハイブリッドセルの身元がメンバーから非メンバーに変更されると、該セルにおけるＵＥのＱｏｓレベルが下がる。
【発明の概要】
【０００５】
既存の技術問題を解決するために、本発明の実施形態はＣＳＧ身元状態のアップデート方法、システム及び基地局を提供する。
【０００６】
本発明の実施形態に係る技術案は下記のように実現される。
【０００７】
本発明の実施形態は閉鎖加入者グループ（ＣＳＧ：Ｃｌｏｓｅｄ  Ｓｕｂｓｃｒｉｂｅｒ  Ｇｒｏｕｐ）身元状態のアップデート方法を提供し、該方法は
基地局はアップデートされたユーザ端末（ＵＥ）のＣＳＧ身元状態情報を取得し、前記アップデートされたＣＳＧ身元状態情報に基づいてアップデート操作を実行することを含み、前記基地局はマスター基地局ＭｅＮＢ或いはセカンダリー基地局ＳｅＮＢである。
【０００８】
本発明の実施形態は閉鎖加入者グループ（ＣＳＧ）身元状態のアップデート方法を提供し、該方法は、
モビリティ管理エンティティ（ＭＭＥ）はアップデートされたユーザ端末（ＵＥ）のＣＳＧ身元状態情報を基地局に送信し、前記基地局はマスター基地局（ＭｅＮＢ）或いはセカンダリー基地局（ＳｅＮＢ）であることと、
基地局はアップデートされたＵＥのＣＳＧ身元状態情報を取得し、前記アップデートされたＣＳＧ身元状態情報に基づいてアップデート操作を実行することと、を含む。
【０００９】
本発明の実施形態は基地局を提供し、該基地局はマスター基地局（ＭｅＮＢ）或いはセカンダリー基地局（ＳｅＮＢ）であり、取得モジュールとアップデートモジュールを備え、
取得モジュールは、アップデートされたユーザ端末（ＵＥ）の閉鎖加入者グループ（ＣＳＧ）身元状態情報を取得するように構成され、
アップデートモジュールは、前記アップデートされたＣＳＧ身元状態情報に基づいてアップデート操作を実行するように構成される。
【００１０】
本発明の実施形態は閉鎖加入者グループ（ＣＳＧ）身元状態のアップデートシステムを提供し、該システムは基地局とＭＭＥを備え、前記基地局はマスター基地局（ＭｅＮＢ）或いはセカンダリー基地局（ＳｅＮＢ）であり、
モビリティ管理エンティティ（ＭＭＥ）は、アップデートされたＵＥのＣＳＧ身元状態情報を基地局に送信するように構成され、
基地局は、アップデートされたＵＥのＣＳＧ身元状態情報を取得し、前記アップデートされたＣＳＧ身元状態情報に基づいてアップデート操作を実行するように構成される。
【００１１】
本発明の実施形態に係るＣＳＧ身元状態のアップデート方法、システム及び基地局によれば、基地局はＭＭＥからアップデートされたＵＥのＣＳＧ身元状態情報を取得し、前記アップデートされたＣＳＧ身元状態情報に基づいてアップデート操作を実行し、これにより、ＵＥのＣＳＧ身元状態のアップデートを即時に対応する基地局に知らせ、基地局或いはＭＭＥがデュアル接続アーキテクチャの後続操作を確実に行わせるようにする。
【図面の簡単な説明】
【００１２】
【図１】従来技術におけるスモールセルが導入された無線通信システムアーキテクチャを示す模式図である。
【図２】従来技術のデュアル接続アーキテクチャにおけるユーザプレーンアーキテクチャを示す模式図である。
【図３】従来技術においてアーキテクチャオプション１を採用する１Ａアーキテクチャの基地局プロトコルスタックの構造を示す模式図である。
【図４】従来技術においてアーキテクチャオプション３を採用する３Ｃアーキテクチャの基地局プロトコルスタックの構造を示す模式図である。
【図５】本発明の実施形態によるＭｅＮＢにＣＳＧ身元状態をアップデートする方法を示すフローチャートである。
【図６】本発明の実施形態によるＭｅＮＢとＭＭＥの相互作用によりＣＳＧ身元状態をアップデートする方法を示すフローチャートである。
【図７】本発明の実施形態によるＳｅＮＢにＣＳＧ身元状態をアップデートする方法を示すフローチャートである。
【図８】本発明の実施形態によるＳｅＮＢとＭＭＥの相互作用によりＣＳＧ身元状態をアップデートする方法を示すフローチャートである。
【図９】本発明の実施形態による基地局の構造を示す模式図である。
【図１０】本発明の実施形態によるＣＳＧ身元状態をアップデートするシステムの構造を示す模式図である。
【図１１】本発明の実施形態一によるＣＳＧ身元状態をアップデートする方法を示すフローチャートである。
【図１２】本発明の実施形態二によるＣＳＧ身元状態をアップデートする方法を示すフローチャートである。
【図１３】本発明の実施形態三によるＣＳＧ身元状態をアップデートする方法を示すフローチャートである。
【図１４】本発明の実施形態四によるＣＳＧ身元状態をアップデートする方法を示すフローチャートである。
【発明を実施するための形態】
【００１３】
本発明の実施形態において、基地局はモビリティ管理エンティティ（ＭＭＥ）からアップデートされたユーザ端末（ＵＥ）の閉鎖加入者グループ（ＣＳＧ）身元状態情報を取得し、前記アップデートされたＣＳＧ身元状態情報に基づいてアップデート操作を実行し、前記基地局はマスター基地局（ＭｅＮＢ）或いはセカンダリー基地局（ＳｅＮＢ）である。
【００１４】
以下、図面及び具体的な実施形態を参照して本発明について詳しく説明する。
【００１５】
本発明の実施形態はＭｅＮＢにＣＳＧ身元状態をアップデートする方法を提供し、図５に示すように、該方法は以下のステップを含む。
【００１６】
ステップ１０１：ＭｅＮＢはアップデートされたＵＥのＣＳＧ身元状態情報を取得する。
【００１７】
具体的に、ＭｅＮＢはＵＥの初期コンテキスト設定要求メッセージ及び／又はＵＥのコンテキスト修正要求メッセージにより、アップデートされたＵＥのＣＳＧ身元状態情報を取得する。ここで、前記ＣＳＧ身元状態情報は、一般的に、ＣＳＧ身元状態及び／又は対応するＣＳＧ  ＩＤを含む。
【００１８】
ステップ１０２：ＭｅＮＢは前記アップデートされたＣＳＧ身元状態情報に基づいてアップデート操作を実行する。
【００１９】
本ステップは具体的に下記のとおりである。すなわち、
ＭｅＮＢは前記アップデートされたＣＳＧ身元状態情報に基づいてＳｅＮＢ修正プロセスを開始し、
或いは、ＭｅＮＢは前記アップデートされたＣＳＧ身元状態情報に基づいてＳｅＮＢリリースプロセスを開始し、
或いは、ＭｅＮＢは前記アップデートされたＣＳＧ身元状態情報に基づいてセル切り替えプロセスを開始し、
或いは、ＭｅＮＢは前記アップデートされたＣＳＧ身元状態情報に基づいてＳ１リリースプロセスを開始し、
或いは、ＭｅＮＢは前記アップデートされたＣＳＧ身元状態情報に基づいてＳｅＮＢリリースとセル切り替えプロセスを開始し、
或いは、ＭｅＮＢは前記アップデートされたＣＳＧ身元状態情報に基づいてＳｅＮＢリリースとＳ１リリースプロセスを開始する。
【００２０】
また、ＳｅＮＢもＵＥのアップデートされたＣＳＧ身元状態情報を取得するために、本ステップは、
前記ＭｅＮＢは前記アップデートされたＣＳＧ身元状態情報又はＣＳＧ身元状態のアップデート指示情報をＳｅＮＢに送信するステップを更に含む。
【００２１】
具体的に、前記ＭｅＮＢは前記ＳｅＮＢ修正プロセス或いはＳｅＮＢリリースプロセスにより前記アップデートされたＣＳＧ身元状態情報又はＣＳＧ身元状態のアップデート指示情報を送信する。
【００２２】
ステップ１０２において、前記ＭｅＮＢはＳ１リリース補助情報を前記ＭＭＥに送信し、前記Ｓ１リリース補助情報は、
前記アップデートされたＣＳＧ身元状態情報に対応する基地局の識別子情報、
前記アップデートされたＣＳＧ身元状態情報に対応する基地局がＭｅＮＢ又はＳｅＮＢである指示情報、
Ｓ１リリースが必要ない指示情報、
Ｓ１リリースチェックを実行する必要ない指示情報、及び
デュアル接続の指示情報のうちの少なくとも１つを含む。
【００２３】
ここで、前記ＭｅＮＢはＳ１インターフェースメッセージにより、前記Ｓ１リリース補助情報を前記ＭＭＥに送信し、前記Ｓ１インターフェースメッセージは、
ＵＥのコンテキスト修正応答メッセージであり、
或いは、発展型無線アクセスベアラ（Ｅ―ＲＡＢ）修正指示メッセージであり、
或いは、パス転送要求メッセージであり、
或いは、新規Ｓ１インターフェースメッセージである。
【００２４】
上記実施形態におけるＣＳＧ身元状態のアップデート方法は主にＭｅＮＢの詳細な操作を提供する。
【００２５】
上記実施形態におけるＭｅＮＢの操作に基づいて、本発明の実施形態はＭｅＮＢとＭＭＥとが相互作用してＣＳＧ身元状態をアップデートする方法を更に提供し、図６に示すように、該方法は以下のステップを含む。
【００２６】
ステップ２０１：ＭＭＥはアップデートされたＵＥのＣＳＧ身元状態情報をＭｅＮＢに送信する。
【００２７】
具体的に、ＭＭＥはＵＥの初期コンテキスト設定要求メッセージ及び／又はＵＥのコンテキスト修正要求メッセージをＭｅＮＢに送信し、前記ＵＥの初期コンテキスト設定要求メッセージ及び／又はＵＥのコンテキスト修正要求メッセージはアップデートされたＵＥのＣＳＧ身元状態情報を含む。
【００２８】
ステップ２０２：ＭｅＮＢはアップデートされたＵＥのＣＳＧ身元状態情報を取得する。
【００２９】
具体的に、ＭｅＮＢはＭＭＥが送信したＵＥの初期コンテキスト設定要求メッセージ及び／又はＵＥのコンテキスト修正要求メッセージにより、アップデートされたＵＥのＣＳＧ身元状態情報を取得する。ここで、前記ＣＳＧ身元状態情報は、一般的に、ＣＳＧ身元状態及び／又は対応するＣＳＧ  ＩＤを含む。
【００３０】
ステップ２０３：ＭｅＮＢは前記アップデートされたＣＳＧ身元状態情報に基づいてアップデート操作を実行する。
【００３１】
本ステップは具体的に下記のとおりである。すなわち、
ＭｅＮＢは前記アップデートされたＣＳＧ身元状態情報に基づいてＳｅＮＢ修正プロセスを開始し、
或いは、ＭｅＮＢは前記アップデートされたＣＳＧ身元状態情報に基づいてＳｅＮＢリリースプロセスを開始し、
或いは、ＭｅＮＢは前記アップデートされたＣＳＧ身元状態情報に基づいてセル切り替えプロセスを開始し、
或いは、ＭｅＮＢは前記アップデートされたＣＳＧ身元状態情報に基づいてＳ１リリースプロセスを開始し、
或いは、ＭｅＮＢは前記アップデートされたＣＳＧ身元状態情報に基づいてＳｅＮＢリリースとセル切り替えプロセスを開始し、
或いは、ＭｅＮＢは前記アップデートされたＣＳＧ身元状態情報に基づいてＳｅＮＢリリースとＳ１リリースプロセスを開始する。
【００３２】
また、ＳｅＮＢもＵＥのアップデートされたＣＳＧ身元状態情報を取得するために、本ステップは、
前記ＭｅＮＢは前記アップデートされたＣＳＧ身元状態情報又はＣＳＧ身元状態のアップデート指示情報をＳｅＮＢに送信するステップを更に含む。
【００３３】
具体的に、前記ＭｅＮＢは前記ＳｅＮＢ修正プロセス或いは前記ＳｅＮＢリリースプロセスにより、前記アップデートされたＣＳＧ身元状態情報又はＣＳＧ身元状態のアップデート指示情報を送信する。
【００３４】
ステップ２０３において、前記ＭｅＮＢはＳ１リリース補助情報を前記ＭＭＥに送信し、前記Ｓ１リリース補助情報は、
前記アップデートされたＣＳＧ身元状態情報に対応する基地局の識別子情報、
前記アップデートされたＣＳＧ身元状態情報に対応する基地局はＭｅＮＢ又はＳｅＮＢである指示情報、
Ｓ１リリースが必要ない指示情報、
Ｓ１リリースチェックを実行する必要ない指示情報、及び
デュアル接続の指示情報のうちの少なくとも１つを含む。
【００３５】
ここで、前記ＭｅＮＢはＳ１インターフェースメッセージにより、前記Ｓ１リリース補助情報を前記ＭＭＥに送信し、前記Ｓ１インターフェースメッセージは、
ＵＥのコンテキスト修正応答メッセージであり、
或いは、Ｅ―ＲＡＢ修正指示メッセージであり、
或いは、パス転送要求メッセージであり、
或いは、新規Ｓ１インターフェースメッセージである。
【００３６】
本実施形態に記載の方法において、前記ＭＭＥがアップデートされたＵＥのＣＳＧ身元状態情報をＭｅＮＢに送信したあと、
前記ＭＭＥが前記アップデートされたＵＥのＣＳＧ身元状態とＳ１リリース補助情報に応じてＳ１リリースプロセスを開始するかどうかを決定し、或いは、前記ＭＭＥが前記アップデートされたＵＥのＣＳＧ身元状態に応じてＳ１リリースプロセスを開始するかどうかを決定することを更に含む。
【００３７】
本発明の実施形態はＳｅＮＢにおいてＣＳＧ身元状態をアップデートする方法を提供し、図７に示すように、該方法は以下のステップを含む。
【００３８】
ステップ３０１：ＳｅＮＢはアップデートされたＵＥのＣＳＧ身元状態情報を取得する。
【００３９】
具体的に、ＳｅＮＢはＵＥの初期コンテキスト設定要求メッセージ及び／又はＵＥのコンテキスト修正要求メッセージにより、アップデートされたＵＥのＣＳＧ身元状態情報を取得する。ここで、前記ＣＳＧ身元状態情報は、一般的に、ＣＳＧ身元状態及び／又は対応するＣＳＧ  ＩＤを含む。
【００４０】
ステップ３０２：ＳｅＮＢは前記アップデートされたＣＳＧ身元状態情報に基づいてアップデート操作を実行する。
【００４１】
具体的に、ＳｅＮＢは前記アップデートされたＣＳＧ身元状態情報に基づいてＳｅＮＢ修正プロセスを開始し、或いは、ＳｅＮＢは前記アップデートされたＣＳＧ身元状態情報に基づいてＳｅＮＢリリースプロセスを開始する。
【００４２】
また、ＭｅＮＢもアップデートされたＵＥのＣＳＧ身元状態情報を取得するために、本ステップは、
前記ＳｅＮＢは前記アップデートされたＣＳＧ身元状態情報又はＣＳＧ身元状態のアップデート指示情報をＭｅＮＢに送信するステップを更に含む。
【００４３】
具体的に、前記ＳｅＮＢは前記ＳｅＮＢ修正プロセス或いはＳｅＮＢリリースプロセスにより、前記アップデートされたＣＳＧ身元状態情報又はＣＳＧ身元状態のアップデート指示情報をＭｅＮＢに送信する。
【００４４】
上記実施形態におけるＣＳＧ身元状態のアップデート方法は主にＳｅＮＢの詳細な操作を提供する。
【００４５】
上記実施形態におけるＳｅＮＢの操作に基づいて、本発明の実施形態はＳｅＮＢとＭＭＥとが相互作用してＣＳＧ身元状態をアップデートする方法を更に提供し、図８に示すように、該方法は以下のステップを含む。
【００４６】
ステップ４０１：ＭＭＥはアップデートされたＵＥのＣＳＧ身元状態情報をＳｅＮＢに送信する。
【００４７】
具体的に、ＭＭＥは、ＵＥの初期コンテキスト設定要求メッセージ及び／又はＵＥのコンテキスト修正要求メッセージをＳｅＮＢに送信し、前記ＵＥの初期コンテキスト設定要求メッセージ及び／又はＵＥのコンテキスト修正要求メッセージはアップデートされたＵＥのＣＳＧ身元状態情報を含む。
【００４８】
ステップ４０２：ＳｅＮＢはアップデートされたＵＥのＣＳＧ身元状態情報を取得する。
【００４９】
具体的に、ＳｅＮＢは、ＭＭＥが送信したＵＥの初期コンテキスト設定要求メッセージ及び／又はＵＥのコンテキスト修正要求メッセージにより、アップデートされたＵＥのＣＳＧ身元状態情報を取得する。ここで、前記ＣＳＧ身元状態情報は、一般的に、ＣＳＧ身元状態及び／又は対応するＣＳＧ  ＩＤを含む。
【００５０】
ステップ４０３：ＳｅＮＢは前記アップデートされたＣＳＧ身元状態情報に基づいてアップデート操作を実行する。
【００５１】
具体的に、ＳｅＮＢは前記アップデートされたＣＳＧ身元状態情報に基づいてＳｅＮＢ修正プロセスを開始し、或いは、ＳｅＮＢは前記アップデートされたＣＳＧ身元状態情報に基づいてＳｅＮＢリリースプロセスを開始する。
【００５２】
また、ＭｅＮＢもアップデートされたＵＥのＣＳＧ身元状態情報を取得するために、本ステップは、
前記ＳｅＮＢは前記アップデートされたＣＳＧ身元状態情報又はＣＳＧ身元状態のアップデート指示情報をＭｅＮＢに送信するステップを更に含む。
【００５３】
具体的に、前記ＳｅＮＢは前記ＳｅＮＢ修正プロセス或いは前記ＳｅＮＢリリースプロセスにより、前記アップデートされたＣＳＧ身元状態情報又はＣＳＧ身元状態のアップデート指示情報をＭｅＮＢに送信する。
【００５４】
ＭｅＮＢにおいてＣＳＧ身元状態をアップデートする方法に係る実施形態に基づいて、本発明実施形態は基地局を提供し、図９に示すように、該基地局は、取得モジュール９１と、アップデートモジュール９２を備える。
【００５５】
取得モジュール９１は、基地局のＳ１インターフェースにより実現され、アップデートされたＵＥのＣＳＧ身元状態情報を取得するように構成される。
【００５６】
具体的に、前記取得モジュール９１は、ＵＥの初期コンテキスト設定要求メッセージ及び／又はＵＥのコンテキスト修正要求メッセージにより、アップデートされたＵＥのＣＳＧ身元状態情報を取得する。ここで、前記ＣＳＧ身元状態情報は、一般的に、ＣＳＧ身元状態及び／又は対応するＣＳＧ  ＩＤを含む。
【００５７】
アップデートモジュール９２は基地局の記憶装置により実現され、前記アップデートされたＣＳＧ身元状態情報に基づいてアップデート操作を実行するように構成される。
【００５８】
具体的に、前記基地局がＭｅＮＢである場合、アップデートモジュール９２は、前記アップデートされたＣＳＧ身元状態情報に基づいてＳｅＮＢ修正プロセスを開始し、或いは、アップデートモジュール９２は、前記アップデートされたＣＳＧ身元状態情報に基づいてＳｅＮＢリリースプロセスを開始し、或いは、アップデートモジュール９２は、前記アップデートされたＣＳＧ身元状態情報に基づいてセル切り替えプロセスを開始し、或いは、アップデートモジュール９２は、前記アップデートされたＣＳＧ身元状態情報に基づいてＳ１リリースプロセスを開始し、或いは、アップデートモジュール９２は、前記アップデートされたＣＳＧ身元状態情報に基づいてＳｅＮＢリリースとセル切り替えプロセスを開始し、或いは、アップデートモジュール９２は、前記アップデートされたＣＳＧ身元状態情報に基づいてＳｅＮＢリリースとＳ１リリースプロセスを開始する。
【００５９】
前記基地局がＳｅＮＢである場合、アップデートモジュール９２は、前記アップデートされたＣＳＧ身元状態情報に基づいてＳｅＮＢ修正プロセスを開始し、或いは、アップデートモジュール９２は、前記アップデートされたＣＳＧ身元状態情報に基づいてＳｅＮＢリリースプロセスを開始する。
【００６０】
また、前記基地局がＭｅＮＢである場合、ＳｅＮＢもアップデートされたＵＥのＣＳＧ身元状態情報を取得するために、前記アップデートモジュール９２は、前記アップデートされたＣＳＧ身元状態情報又はＣＳＧ身元状態のアップデート指示情報を前記ＳｅＮＢに送信するように構成される。
【００６１】
具体的に、前記アップデートモジュール９２は、ＳｅＮＢ修正プロセス或いはＳｅＮＢリリースプロセスにより、前記アップデートされたＣＳＧ身元状態情報又はＣＳＧ身元状態のアップデート指示情報を送信する。
【００６２】
上記と同じように、前記基地局がＳｅＮＢである場合、ＭｅＮＢもＵＥのアップデートされたＣＳＧ身元状態情報を取得するために、前記アップデートモジュール９２は、前記アップデートされたＣＳＧ身元状態情報又はＣＳＧ身元状態のアップデート指示情報をＭｅＮＢに送信するように構成される。
【００６３】
具体的に、前記アップデートモジュール９２は、ＳｅＮＢ修正プロセス或いはＳｅＮＢリリースプロセスにより、前記アップデートされたＣＳＧ身元状態情報又はＣＳＧ身元状態のアップデート指示情報をＭｅＮＢに送信する。
【００６４】
１つの実施形態において、前記基地局がＭｅＮＢである場合、前記アップデートモジュール９２は、Ｓ１リリース補助情報をＭＭＥに送信し、前記Ｓ１リリース補助情報は、
前記アップデートされたＣＳＧ身元状態情報に対応する基地局の識別子情報、
前記アップデートされたＣＳＧ身元状態情報に対応する基地局がＭｅＮＢ又はＳｅＮＢである指示情報、
Ｓ１リリースが必要ない指示情報、
Ｓ１リリースチェックを実行する必要ない指示情報、及び
デュアル接続の指示情報のうちの少なくとも１つを含む。
【００６５】
ここで、前記アップデートモジュール９２は、以下のＳ１インターフェースメッセージにより、Ｓ１リリース補助情報をＭＭＥに送信し、前記Ｓ１インターフェースメッセージは、
ＵＥのコンテキスト修正応答メッセージであり、
或いは、Ｅ―ＲＡＢ修正指示メッセージであり、
或いは、パス転送要求メッセージであり、
或いは、新規Ｓ１インターフェースメッセージである。
【００６６】
上記の基地局に基づいて、本発明実施形態はＣＳＧ身元状態のアップデートシステムを提供し、図１０に示すように、該システムは、基地局１００１と、ＭＭＥ１００２とを備え、
ＭＭＥ１００２は、アップデートされたＵＥのＣＳＧ身元状態情報を基地局１００１に送信するように構成される。
【００６７】
具体的に、ＭＭＥ１００２は、ＵＥの初期コンテキスト設定要求メッセージ及び／又はＵＥのコンテキスト修正要求メッセージを基地局１００１に送信し、前記ＵＥの初期コンテキスト設定要求メッセージ及び／又はＵＥの初期コンテキスト修正要求メッセージは、アップデートされたＵＥのＣＳＧ身元状態情報を含む。
【００６８】
基地局１００１は、アップデートされたＵＥのＣＳＧ身元状態情報を取得し、前記アップデートされたＣＳＧ身元状態情報に基づいてアップデート操作を実行するように構成される。
【００６９】
具体的に、基地局１００１は、ＭＭＥ１００２が送信したＵＥの初期コンテキスト設定要求メッセージ及び／又はＵＥのコンテキスト修正要求メッセージにより、アップデートされたＵＥのＣＳＧ身元状態情報を取得する。ここで、前記ＣＳＧ身元状態情報は、一般的に、ＣＳＧ身元状態及び／又は対応するＣＳＧ  ＩＤを含む。
【００７０】
前記基地局１００１がＭｅＮＢである場合、具体的に、
ＭｅＮＢは前記アップデートされたＣＳＧ身元状態情報に基づいてＳｅＮＢ修正プロセスを開始し、
或いは、ＭｅＮＢは前記アップデートされたＣＳＧ身元状態情報に基づいてＳｅＮＢリリースプロセスを開始し、
或いは、ＭｅＮＢは前記アップデートされたＣＳＧ身元状態情報に基づいてセル切り替えプロセスを開始し、
或いは、ＭｅＮＢは前記アップデートされたＣＳＧ身元状態情報に基づいてＳ１リリースプロセスを開始し、
或いは、ＭｅＮＢは前記アップデートされたＣＳＧ身元状態情報に基づいてＳｅＮＢリリースとセル切り替えプロセスを開始し、
或いは、ＭｅＮＢは前記アップデートされたＣＳＧ身元状態情報に基づいてＳｅＮＢリリースとＳ１リリースプロセスを開始するように構成される。
【００７１】
前記基地局１００１がＳｅＮＢである場合、前記ＳｅＮＢは、前記アップデートされたＣＳＧ身元状態情報に基づいてＳｅＮＢ修正プロセスを開始し、或いは、前記アップデートされたＣＳＧ身元状態情報に基づいてＳｅＮＢリリースプロセスを開始するように構成される。
【００７２】
また、前記基地局１００１がＭｅＮＢである場合、ＳｅＮＢもアップデートされたＵＥのＣＳＧ身元状態情報を取得するために、前記ＭｅＮＢは、前記アップデートされたＣＳＧ身元状態情報又はＣＳＧ身元状態のアップデート指示情報をＳｅＮＢに送信するように構成される。
【００７３】
具体的に、前記ＭｅＮＢは、ＳｅＮＢ修正プロセス或いはＳｅＮＢリリースプロセスにより、前記アップデートされたＣＳＧ身元状態情報又はＣＳＧ身元状態のアップデート指示情報を送信する。
【００７４】
上記と同じように、前記基地局１００１がＳｅＮＢである場合、ＭｅＮＢもアップデートされたＵＥのＣＳＧ身元状態情報を取得するために、前記ＳｅＮＢは、前記アップデートされたＣＳＧ身元状態情報又はＣＳＧ身元状態のアップデート指示情報をＭｅＮＢに送信するように構成される。
【００７５】
具体的に、前記ＳｅＮＢは、ＳｅＮＢ修正プロセス或いはＳｅＮＢリリースプロセスにより、前記アップデートされたＣＳＧ身元状態情報又はＣＳＧ身元状態のアップデート指示情報をＭｅＮＢに送信する。
【００７６】
１つの実施形態において、前記基地局１００１がＭｅＮＢである場合、前記ＭｅＮＢは、Ｓ１リリース補助情報を前記ＭＭＥ１００２に送信することもでき、前記Ｓ１リリース補助情報は、
前記アップデートされたＣＳＧ身元状態情報に対応する基地局の識別子情報、
前記アップデートされたＣＳＧ身元状態情報に対応する基地局はＭｅＮＢ又はＳｅＮＢである指示情報、
Ｓ１リリースが必要ない指示情報、
Ｓ１リリースチェックを実行する必要ない指示情報、及び
デュアル接続の指示情報のうちの少なくとも１つを含む。
【００７７】
ここで、前記ＭｅＮＢは、Ｓ１インターフェースメッセージにより、Ｓ１リリース補助情報を前記ＭＭＥ１００２に送信し、前記Ｓ１インターフェースメッセージは、
ＵＥのコンテキスト修正応答メッセージであり、
或いは、Ｅ―ＲＡＢ修正指示メッセージであり、
或いは、パス転送要求メッセージであり、
或いは、新規Ｓ１インターフェースメッセージである。
【００７８】
本実施形態に記載の方法において、前記ＭＭＥ１００２がアップデートされたＵＥのＣＳＧ身元状態情報を基地局１００１に送信したあと、
前記ＭＭＥ１００２が前記アップデートされたＵＥのＣＳＧ身元状態とＳ１リリース補助情報に応じてＳ１リリースプロセスを開始するかどうかを決定し、或いは、前記ＭＭＥ１００２が前記アップデートされたＵＥのＣＳＧ身元状態に応じてＳ１リリースプロセスを開始するかどうかを決定することを更に含む。
【００７９】
以下、異なるシーンの実施形態を参照して本発明の技術案を詳しく説明する。
【００８０】
なお、以下の実施形態における方法は、デュアル接続ユーザプレーンアーキテクチャ１Ａ或いは３Ｃに適用可能である。ＭｅＮＢ又はＳｅＮＢ身元のＨｅＮＢはＨｅＮＢ  ＧＷを介してＭＭＥと接続すると、ＭＭＥと該ＭｅＮＢ／ＳｅＮＢの間に相互作用したＳ１メッセージがＨｅＮＢ  ＧＷを介して転送される。ＭｅＮＢ又はＳｅＮＢ身元のＨｅＮＢはＸ２  ＧＷを介して他の基地局と接続すると、該ＭｅＮＢ／ＳｅＮＢと他の基地局との間に相互作用したＸ２メッセージと、該ＭｅＮＢとＳｅＮＢの間に相互作用したＸ２メッセージがＸ２  ＧＷを介して転送される。
【００８１】
実施形態一
本実施形態では、ＵＥがＳｅＮＢのハイブリッドセル（ｈｙｂｒｉｄ  Ｃｅｌｌ）におけるＣＳＧ身元状態が変更されたあと、ＭＭＥがＭｅＮＢに知らせる方法が記載されている。図１１は本実施形態に記載の方法のフローチャートであり、図１１に示すように、本実施形態に記載の方法は以下のステップを含む。
【００８２】
ステップ１１０１：ＭＭＥは、ハイブリッドセルにおけるＵＥのＣＳＧ身元状態が変更されたことを検出し、例えば、メンバー／非メンバーから非メンバー／メンバーに変更され、或いはＵＥのメンバーシップの有効期限が切れたことを検出する。
【００８３】
ステップ１１０２：ＭＭＥはＵＥのコンテキスト修正要求メッセージをＭｅＮＢに送信し、該メッセージにはアップデートされたＵＥのＣＳＧ身元状態情報が含まれる。好ましくは、該メッセージにはアップデートされたＵＥのＣＳＧ身元状態情報に対応するＣＳＧ  ＩＤがさらに含まれる。
【００８４】
ステップ１１０３：ＭｅＮＢはＵＥのコンテキスト修正応答メッセージをＭＭＥに送信する。
【００８５】
ステップ１１０４：ＭＭＥは、ＵＥがＳｅＮＢのハイブリッドセルにおけるＣＳＧ身元状態が変更されたことを決定し（例えば、ＵＥのコンテキスト修正要求メッセージに含まれているＣＳＧ  ＩＤに応じて決定する）、ＳｅＮＢ修正要求メッセージをＳｅＮＢに送信する。
【００８６】
一般的に、前記ＳｅＮＢ修正要求メッセージはアップデートされたＵＥのＣＳＧ身元状態情報或いはＵＥのＣＳＧ身元状態のアップデートを指示するための指示情報（例えば、原因値）を含む。
【００８７】
また、前記ＳｅＮＢ修正要求メッセージは、さらにＵＥのベアラの確立又はベアラのリリースを実行することをＳｅＮＢに要求するために用いられる。例えば、ＳｅＮＢセルにおけるＵＥの身元がメンバーから非メンバーに変更され、或いはＵＥのメンバーシップの有効期限が切れたと、ＭｅＮＢは該メッセージにより、ＳｅＮＢにおけるＵＥの一部のベアラをリリースすることをＳｅＮＢに要求し、この場合、前記ＳｅＮＢ修正要求メッセージはＳｅＮＢとＭｅＮＢとの間のデータ転送のためのＧＴＰ−Ｕ情報を更に含むことができ、ＳｅＮＢセルにおけるＵＥの身元が非メンバーからメンバーに変更されたとき、ＭｅＮＢは、前記ＳｅＮＢ修正要求メッセージにより、相応にベアラ確立を実行することをＳｅＮＢに要求でき、ＭｅＮＢにおける一部のＵＥのベアラをＳｅＮＢに分離する。好ましくは、前記ＳｅＮＢ修正要求メッセージは、ＭｅＮＢがアップデートされたＵＥのＣＳＧ身元状態情報に基づいて調整したＱｏＳ関連パラメータを更に含み、例えば、ＵＥ−ＡＭＢＲ値である。ここで、ステップ１１０４はステップ１１０３の前又は後に実行されてもよい。
【００８８】
ステップ１１０５：ＳｅＮＢはＭｅＮＢにＳｅＮＢ修正要求確認メッセージを返事する。
【００８９】
本ステップにおいて、ＳｅＮＢ修正要求メッセージが、アップデートされたＵＥのＣＳＧ身元状態情報を含むとき、ＳｅＮＢは、該ＵＥの身元状態をアップデートし、該ＵＥのＱｏＳレベルを相応に調整する。好ましくは、前記ＳｅＮＢ修正要求確認メッセージは、ＳｅＮＢがアップデートされたＵＥのＣＳＧ身元状態情報に基づいて調整したＱｏＳ関連パラメータを含み、例えばＵＥ−ＡＭＢＲ値である。ＭｅＮＢがベアラの確立を実行することをＳｅＮＢに要求する場合、ＳｅＮＢは、対応する受付制御を実行する必要があり、新たに確立されたベアラに対して無線リソース予備及び無線リソース配置を行い、前記ＳｅＮＢ修正要求確認メッセージを介して無線リソース配置情報をＭｅＮＢに送信する。ベアラが確立された状況下で、前記ＳｅＮＢ修正要求確認メッセージはＳｅＮＢとＭｅＮＢの間にデータを転送するためのＧＴＰ−Ｕ情報を更に含む。
【００９０】
ステップ１１０６：ＵＥのエアインターフェース配置情報の変更に関する場合、ＭｅＮＢはＲＲＣ接続再配置メッセージをＵＥに送信し、ＵＥがエアインターフェースの再配置を行うように指示する。
【００９１】
ステップ１１０７：ＵＥがエアインターフェース配置を完了したあと、ＭｅＮＢにＲＲＣ再配置完了メッセージを返事する。
【００９２】
ステップ１１０８：ＭｅＮＢはＳｅＮＢ再配置完了メッセージをＳｅＮＢに送信して、新しい無線エアインターフェースの配置が成功に完了することを指示する。
【００９３】
ステップ１１０９：ＳｅＮＢに新しいベアラ確立或いはベアラリリースがあれば、ＭｅＮＢとＳｅＮＢとの間で相応なデータ転送プロセスを行う。
【００９４】
ステップ１１１０：ＳｅＮＢに新しいベアラ確立或いはベアラリリースがあり、デュアル接続ユーザプレーン１Ａアーキテクチャを採用すれば、ＭｅＮＢはＭＭＥにユーザプレーンパスアップデートを開始して、ＳＧＷで一部のベアラのＳ１−Ｕユーザプレーンパスをアップデートする。
【００９５】
実施形態二
本実施形態では、ＵＥがＳｅＮＢのハイブリッドセルにおけるＣＳＧ身元状態が変更されたあと、ＭＭＥがＳｅＮＢに知らせる方法が記載されている。図１２は本実施形態に記載の方法のフローチャートであり、図１２に示すように、本実施形態に記載の方法は以下のステップを含む。
【００９６】
ステップ１２０１：ＭＭＥは、ハイブリッドセルにおけるＵＥのＣＳＧ身元状態が変更されたことを検出し、例えば、メンバー／非メンバーから非メンバー／メンバーに変更され、或いはＵＥのメンバーシップの有効期限が切れたことを検出する。
【００９７】
ステップ１２０２：ＭＭＥとＭｅＮＢ／ＳｅＮＢにいずれもＵＥ関連のＳ１接続がある状況下で、ＭＭＥが、ＣＳＧ身元状態変更に対応するＳｅＮＢを決定するとき、ＵＥのコンテキスト修正要求メッセージをＳｅＮＢに送信し、該メッセージにはアップデートされたＵＥのＣＳＧ身元状態が含まれている。
【００９８】
前記ＭＭＥがＣＳＧ身元状態変更に対応するＳｅＮＢを決定することについて、例えば、ＭＭＥにはＣＳＧ  ＩＤとｅＮＢ  ＩＤの対応関係が保存され、前記対応関係に基づいてＣＳＧ身元状態変更に対応するＳｅＮＢを決定し、或いは、ＭＭＥはｅＮＢ  ＩＤとＭｅＮＢ／ＳｅＮＢの対応関係を取得し、前記対応関係に基づいてＣＳＧ身元状態変更に対応するＳｅＮＢを決定し、或いは、ＭＭＥはＣＳＧチェック要求メッセージに基づいてＣＳＧ身元状態変更に対応するＳｅＮＢを知ることになり、或いは、ＭＭＥは他のデフォルト又は実現方式により、ＣＳＧ身元状態変更に対応するＳｅＮＢを知ることになる。
【００９９】
好ましくは、前記ＵＥのコンテキスト修正要求メッセージはアップデートされたＵＥのＣＳＧ身元状態情報に対応するＣＳＧ  ＩＤを含む。
【０１００】
ステップ１２０３：ＳｅＮＢは前記ＵＥの身元状態をアップデートし、前記ＵＥのＱｏＳレベルを相応に調整し、且つＵＥのコンテキスト修正応答メッセージをＭＭＥに送信する。
【０１０１】
ステップ１２０４：ＳｅＮＢは、ＳｅＮＢ修正要求メッセージをＭｅＮＢに送信する。
【０１０２】
ここで、前記ＳｅＮＢ修正要求メッセージは、アップデートされたＵＥのＣＳＧ身元状態情報或いはＵＥのＣＳＧ身元状態のアップデートを指示するための指示情報（例えば、原因値）を含む。また、前記ＳｅＮＢ修正要求メッセージは、前記ＵＥのベアラの確立又はベアラをリリースするために用いられる。例えば、ＳｅＮＢセルにおけるＵＥの身元がメンバーから非メンバーに変更され、或いはＵＥのメンバーシップの有効期限が切れたと、ＳｅＮＢは前記ＳｅＮＢ修正要求メッセージにより、ＳｅＮＢにおけるＵＥの一部のベアラをリリースし、ＳｅＮＢセルにおけるＵＥの身元が非メンバーからメンバーに変更されたとき、ＳｅＮＢは、前記ＳｅＮＢ修正要求メッセージにより、ＭｅＮＢが相応にベアラの確立を実行するようにトリガーすることができ、ＭｅＮＢにおける一部のＵＥのベアラをＳｅＮＢに分離する。この場合、前記ＳｅＮＢ修正要求メッセージは、ＳｅＮＢとＭｅＮＢとの間にデータを転送するためのＧＴＰ−Ｕ情報を更に含んでもよい。ここで、前記ＳｅＮＢ修正要求メッセージは、ＳｅＮＢが、アップデートされたＵＥのＣＳＧ身元状態情報に基づいて調整したＱｏＳ関連パラメータを更に含み、例えば、ＵＥ−ＡＭＢＲ値である。なお、ステップ１２０４はステップ１２０３の前又は後に実行されてもよい。
【０１０３】
ステップ１２０５：ＭｅＮＢがＳｅＮＢにおけるベアラのリリースを実行することを決定する且つデータの転送を行う必要があれば、ＳｅＮＢ修正要求メッセージをＳｅＮＢに送信し、該メッセージにはＭｅＮＢとＳｅＮＢとの間にデータを転送するためのＧＴＰ−Ｕ情報が含まれている。ＭｅＮＢがＳｅＮＢにおけるベアラの確立を実行することを決定すれば、ＭＭＥがＳｅＮＢ修正要求メッセージをＳｅＮＢに送信し、前記ＳｅＮＢ修正要求メッセージには確立に必要なベアラ情報が含まれている。ここで、前記ＳｅＮＢ修正要求メッセージは、ＭｅＮＢが、アップデートされたＵＥのＣＳＧ身元状態情報に基づいて調整したＱｏＳ関連パラメータを更に含み、例えば、ＵＥ−ＡＭＢＲ値である。
【０１０４】
ステップ１２０６：ＳｅＮＢはＳｅＮＢ修正要求確認メッセージをＭｅＮＢに返事する。ＭｅＮＢが、ベアラの確立を実行することをＳｅＮＢに要求すれば、ＳｅＮＢは、対応する受付制御を実行する必要があり、新たに確立されたベアラに対して無線リソース予備及び無線リソース配置を行い、該メッセージを介して無線リソース配置情報をＭｅＮＢに送信する。ここで、ベアラが確立された状況下で、前記ＳｅＮＢ修正要求確認メッセージはＳｅＮＢとＭｅＮＢの間にデータを転送するためのＧＴＰ−Ｕ情報を更に含む。
【０１０５】
ステップ１２０７：ＵＥのエアインターフェース配置情報の変更に関する場合、ＭｅＮＢはＲＲＣ接続再配置メッセージをＵＥに送信し、ＵＥがエアインターフェースの再配置を行うように指示する。
【０１０６】
ステップ１２０８：ＵＥがエアインターフェース配置を完了したあと、ＭｅＮＢにＲＲＣ再配置完了メッセージを返事する。
【０１０７】
ステップ１２０９：ＭｅＮＢはＳｅＮＢ再配置完了メッセージをＳｅＮＢに送信して、新しい無線エアインターフェースの配置が成功に完了することを指示する。
【０１０８】
ステップ１２１０：ＳｅＮＢには新しいベアラ確立或いはベアラリリースがあれば、ＭｅＮＢとＳｅＮＢとの間で相応なデータ転送プロセスを行う。
【０１０９】
ステップ１２１１：ＳｅＮＢに新しいベアラ確立或いはベアラリリースがあり、デュアル接続ユーザプレーン１Ａアーキテクチャを採用すれば、ＭｅＮＢはＭＭＥにユーザプレーンパスアップデートを開始して、ＳＧＷで一部のベアラのＳ１−Ｕユーザプレーンパスをアップデートする。なお、該ユーザプレーンパスのアップデートプロセスはＭｅＮＢの代わりにＳｅＮＢが開始してもよい。
【０１１０】
実施形態三
本実施形態では、ＭｅＮＢの閉鎖セルにおけるＵＥのＣＳＧ身元状態が変更されたあと、ＭＭＥがＭｅＮＢに知らせる方法が記載されている。図１３は本実施形態に記載の方法のフローチャートであり、図１３に示すように、本実施形態に記載の方法は以下のステップを含む。
【０１１１】
ステップ１３０１：ＭＭＥは、閉鎖セルにおけるＵＥのＣＳＧ身元状態が変更されたことを検出し、即ち、メンバーから非メンバーに変更され、或いはＵＥのメンバーシップの有効期限が切れたことを検出する。
【０１１２】
ステップ１３０２：ＭＭＥはＵＥのコンテキスト修正要求メッセージをＭｅＮＢに送信し、該メッセージにはアップデートされたＵＥのＣＳＧ身元状態が含まれている。
【０１１３】
ここで、前記ＵＥのコンテキスト修正要求メッセージは、アップデートされたＵＥのＣＳＧ身元状態に対応するＣＳＧ  ＩＤを含む。
【０１１４】
ステップ１３０３：ＭｅＮＢはＵＥのコンテキスト修正応答メッセージをＭＭＥに送信する。
【０１１５】
本ステップにおいて、ＭｅＮＢは、ＵＥのコンテキスト修正要求メッセージにより、ＳｅＮＢの閉鎖セルにおけるＵＥの身元がメンバーから非メンバーに変更されることを決定し（例えば、ＵＥのコンテキスト修正要求メッセージに含まれたＣＳＧ  ＩＤにより、決定する）、ＵＥのコンテキスト修正応答メッセージをＭＭＥに送信する。前記ＵＥのコンテキスト修正応答メッセージはＳ１リリース補助情報を含み、ＭＭＥが該ＵＥにＳ１リリースプロセスを実行するかどうかを判断することに用いられる。該Ｓ１リリース補助情報は少なくとも以下の１つを含む。すなわち、
１）アップデートされたＣＳＧ身元状態情報に対応する基地局の識別子情報、
２）アップデートされたＣＳＧ身元状態情報に対応する基地局がＭｅＮＢ又はＳｅＮＢである指示情報、
３）Ｓ１リリースが必要ない指示情報、
４）Ｓ１リリースチェックを実行する必要ない指示情報、および
５）デュアル接続の指示情報である。
【０１１６】
ＭＭＥはＳ１リリース補助情報を受信した後、下記のように処理する。
【０１１７】
１）ＭＭＥはアップデートされたＣＳＧ身元状態情報に対応する基地局の識別子情報を受信したら、ローカルに記憶された情報により、アップデートされたＣＳＧ身元状態情報に対応する基地局がＭｅＮＢ又はＳｅＮＢであることを判断し、ＭｅＮＢである場合、Ｓ１リリースを実行する必要があることを決定し、ＳｅＮＢである場合、Ｓ１リリースを実行する必要がないことを決定する。
【０１１８】
２）ＭＭＥは、アップデートされたＣＳＧ身元状態情報に対応する基地局がＭｅＮＢ又はＳｅＮＢである指示情報を受信したら、該指示情報により対応する基地局がＭｅＮＢであることが指示される場合、Ｓ１リリースを実行する必要があることを決定し、ＳｅＮＢであることが指示される場合、Ｓ１リリースを実行する必要がないことを決定する。
【０１１９】
３）ＭＭＥは、Ｓ１リリースが必要ない指示情報を受信したら、Ｓ１リリースを実行する必要がないことを決定する。
【０１２０】
４）ＭＭＥは、Ｓ１リリースチェックを実行する必要がない指示情報を受信したら、該ＵＥのためにＳ１リリースを実行するかどうかを判断する必要がなく、且つＳ１リリースを開始しない。
【０１２１】
５）ＭＭＥは、デュアル接続の指示情報を受信したら、該ＵＥのためにＳ１リリースを実行するかどうかを判断する必要がなく、且つＳ１リリースを開始しない。
【０１２２】
ＭＭＥは、Ｓ１リリースを実行する必要があることを判断する場合、該ＵＥが他の基地局に切り替えるかどうか又はＳ１リリースを完了したかどうかを監視し、なければ、特定の時間長さを有するタイマーがタイムアウトしたあと、Ｓ１リリースプロセスを開始する。
【０１２３】
ＭＭＥは、Ｓ１リリースを実行する必要がないことを判断する場合、Ｓ１リリースプロセスを開始しない。好ましくは、ＭＭＥは、ＭｅＮＢが該ＳｅＮＢリリースプロセスを実行するかどうかを監視する。例えば、デュアル接続ユーザプレーンアーキテクチャ１Ａにおいて、ＭＭＥは、ユーザプレーンパスのアップデートプロセスにより、該ＳｅＮＢリリースを完了するかどうかを知ることができる。ここで、ＭＭＥは、ＭｅＮＢが該ＳｅＮＢリリースプロセスを実行しないことを監視したら、ＭＭＥは、特定の時間長さを有するタイマーがタイムアウトしたあと、Ｓ１リリースプロセスを開始することができる。
【０１２４】
ステップ１３０４：ＭｅＮＢは、ＵＥのセル切り替え又はＳ１接続のリリース又はＳｅＮＢリリースプロセスを開始するかどうかを判断する。具体的に、ＭｅＮＢにおけるＵＥのＣＳＧセルの身元がメンバーから非メンバーに変更される場合、ＵＥのセル切り替え又はＳ１接続のリリースを開始する必要がある。本実施形態において、ＳｅＮＢにおけるＵＥのＣＳＧセルの身元がメンバーから非メンバーに変更されると、ＭｅＮＢはＳｅＮＢリリース要求メッセージをＳｅＮＢに送信する。好ましくは、該ＳｅＮＢリリース要求メッセージはアップデートされたＵＥのＣＳＧ身元状態或いはＵＥのＣＳＧ身元状態のアップデートを指示するための指示情報（例えば、原因値）を含む。なお、ステップ１３０４はステップ１３０３の前又は後に実行されてもよい。ＳｅＮＢとＭｅＮＢとの間にデータの転送を実行する必要がある場合、該ＳｅＮＢリリース要求メッセージはデータを転送するためのＧＴＰ−Ｕ情報を含み、ＳｅＮＢが該メッセージを受信したあと、該ＵＥに関する無線リソースをリリースする。
【０１２５】
ステップ１３０５：ＵＥのエアインターフェース配置情報の変更に関する場合、ＭｅＮＢはＲＲＣ接続再配置メッセージをＵＥに送信し、ＵＥがエアインターフェースの再配置を行うように指示する。
【０１２６】
ステップ１３０６：ＵＥがエアインターフェース配置を完了したあと、ＲＲＣ再配置完了メッセージをＭｅＮＢに返事する。
【０１２７】
ステップ１３０７：ＳｅＮＢにベアラリリースがあれば、ＭｅＮＢとＳｅＮＢとの間に相応なデータ転送プロセスを行うことができる。
【０１２８】
ステップ１３０８：ＳｅＮＢにベアラリリースがあり、デュアル接続ユーザプレーン１Ａアーキテクチャを採用すれば、ＭｅＮＢは、ＭＭＥにユーザプレーンパスアップデートを開始して、ＳＧＷで一部のベアラのＳ１−Ｕユーザプレーンパスをアップデートする。ＭｅＮＢはさらにＳ１リリース補助情報をユーザプレーンパスアップデート要求に含ませることができ、前記ユーザプレーンパスアップデート要求は、例えば、パス転送要求メッセージであり、又はＥ―ＲＡＢ修正指示メッセージである。
【０１２９】
また、ＭＭＥは、Ｓ１リリース補助情報を受信しなかった場合、下記のような処理方式がある。
【０１３０】
１）ＭＭＥは、ＵＥがデュアル接続方式を採用することを知った場合、Ｓ１接続リリースチェックを実行せず、Ｓ１接続リリースを開始しない。
【０１３１】
２）ＭＭＥは、ＳｅＮＢだけがＨｅＮＢであることを決定する場合、Ｓ１リリースを実行する必要がないことを決定し、ここで、ＭＭＥは、該ＳｅＮＢリリースを成功に完了するかどうかを監視することができる。
【０１３２】
３）ＭＭＥは、ＭｅＮＢとＳｅＮＢのｅＮＢ  ＩＤ及び前記ｅＮＢ  ＩＤとＣＳＧ  ＩＤとの対応関係を保存し、或いはＭＭＥは、ＵＥによりアクセスされたＣＳＧがＭｅＮＢ又はＳｅＮＢに属するかどうかを取得し、保存された情報又は取得された情報に基づいてＳ１リリースを実行するかどうかを決定する。
【０１３３】
ステップ１３０９：ＭＭＥとＳＧＷが相互作用して、ＳＧＷ上の該ＵＥの一部のベアラのＳ１−Ｕパスをアップデートし、ＭｅＮＢにユーザプレーンパスのアップデート応答を返事し、例えば、パス転送要求確認、又はＥ―ＲＡＢ修正メッセージである。
【０１３４】
なお、ＭｅＮＢがＨｅＮＢであり且つ該ＭｅＮＢの閉鎖セルにおけるＵＥの身元がメンバーから非メンバーに変更される場合、ＭｅＮＢは、ＵＥを他の基地局に切り替える必要があり、或いはＭｅＮＢとＭＭＥとの間のＳ１接続リリースを実行する。好ましくは、ＵＥが切り替える或いはＭｅＮＢのＳ１接続リリースのプロセスの前、ＭｅＮＢはＳｅＮＢリリースプロセスを開始する。
【０１３５】
実施形態四
本実施形態では、ＳｅＮＢの閉鎖セルにおけるＵＥのＣＳＧ身元状態が変更されたあと、ＭＭＥがＳｅＮＢに知らせる方法が記載されている。図１４は本実施形態に記載の方法のフローチャートであり、図１４に示すように、本実施形態に記載の方法は以下のステップを含む。
【０１３６】
ステップ１４０１：ＭＭＥは、閉鎖セルにおけるＵＥのＣＳＧ身元状態が変更されたことを検出し、即ち、メンバーから非メンバーに変更され、或いはＵＥのメンバーシップの有効期限が切れたことを検出する。
【０１３７】
ステップ１４０２：ＭＭＥとＭｅＮＢ／ＳｅＮＢがいずれもＵＥ関連のＳ１接続がある状況下で、ＭＭＥが、ＣＳＧ身元状態変更に対応するＳｅＮＢを決定するとき、ＵＥのコンテキスト修正要求メッセージをＳｅＮＢに送信し、該メッセージにアップデートされたＵＥのＣＳＧ身元状態が含まれている。
【０１３８】
ＭＭＥがＣＳＧ身元状態変更に対応するＳｅＮＢを決定することについて、例えば、ＭＭＥにはＣＳＧ  ＩＤとｅＮＢ  ＩＤの対応関係が保存され、前記対応関係に基づいてＣＳＧ身元状態変更に対応するＳｅＮＢを決定し、或いは、ＭＭＥはｅＮＢ  ＩＤとＭｅＮＢ／ＳｅＮＢの対応関係を取得し、前記対応関係に基づいてＣＳＧ身元状態変更に対応するＳｅＮＢを決定し、或いは、ＭＭＥはＣＳＧチェック要求メッセージに基づいてＣＳＧ身元状態変更に対応するＳｅＮＢを知ることになり、或いは、ＭＭＥは他のデフォルト又は実現方式により、ＣＳＧ身元状態変更に対応するＳｅＮＢを知ることになる。
【０１３９】
ステップ１４０３：ＳｅＮＢはＵＥのコンテキスト修正応答メッセージをＭＭＥに送信する。
【０１４０】
ここで、ＵＥのＣＳＧ身元状態の変更がＳｅＮＢに対応する場合、ＭｅＮＢとＭＭＥとの間のＳ１接続をリリースする必要がない。好ましくは、ＭＭＥは、ＭｅＮＢがＳｅＮＢリリースプロセスを実行するかどうかを監視し、及びＳｅＮＢとＭＭＥとのＳ１接続をリリースするかどうかを監視する。例えば、デュアル接続ユーザプレーンアーキテクチャ１Ａにおいて、ＭＭＥは、ユーザプレーンパスのアップデートプロセスにより、ＳｅＮＢリリースを完了したかどうかを知ることになる。好ましくは、ＭＭＥは、ＭｅＮＢがＳｅＮＢリリースを実行しない或いはＳｅＮＢのＳ１接続をリリースしなかったことを監視したら、特定の時間長さを有するタイマーがタイムアウトしたあと、ＭｅＮＢ又はＳｅＮＢのＳ１リリースプロセスを開始することができる。
【０１４１】
ステップ１４０４：ＳｅＮＢは、ＳｅＮＢリリース要求メッセージをＭｅＮＢに送信する。好ましくは、前記ＳｅＮＢリリース要求メッセージは、アップデートされたＵＥのＣＳＧ身元状態情報或いはＵＥのＣＳＧ身元状態のアップデートを指示するための指示情報（例えば、原因値）を含む。なお、ステップ１４０４はステップ１４０３の前又は後に実行されてもよい。
【０１４２】
ステップ１４０５：ＭｅＮＢはＳｅＮＢリリース確認メッセージをＳｅＮＢに返事する。
【０１４３】
ここで、ＳｅＮＢにベアラのリリースすることがある且つデータの転送を行う必要がある場合、ＳｅＮＢリリース確認メッセージはＭｅＮＢとＳｅＮＢとの間にデータを転送するためのＧＴＰ−Ｕ情報をさらに含む。
【０１４４】
ステップ１４０６：ＵＥのエアインターフェース配置情報の変更に関する場合、ＭｅＮＢはＲＲＣ接続再配置メッセージをＵＥに送信し、ＵＥがエアインターフェースの再配置を行うように指示する。
【０１４５】
ステップ１４０７：ＵＥがエアインターフェース再配置を完了したあと、ＲＲＣ再配置完了メッセージをＭｅＮＢに返事する。
【０１４６】
ステップ１４０８：ＳｅＮＢにベアラリリースがある場合、ＭｅＮＢとＳｅＮＢとの間に相応なデータ転送プロセスを行う。
【０１４７】
ステップ１４０９：ＳｅＮＢにベアラリリースがあり、デュアル接続ユーザプレーン１Ａアーキテクチャを採用する場合、ＭｅＮＢは、ＭＭＥにユーザプレーンパスアップデートを開始して、ＳＧＷで一部のベアラのＳ１−Ｕユーザプレーンパスをアップデートする。なお、該ユーザプレーンパスのアップデートプロセスはＭｅＮＢの代わりにＳｅＮＢが開始してもよい。
【０１４８】
以上は、本発明の最適的な実施例に過ぎなく、本発明を制限せず、本発明の主旨精神と原則以内に、いかなる改修、同等入れ替わり、改良等が、本発明の保護範囲以内に含まれるべきである。
【産業上の利用可能性】
【０１４９】
本発明の各実施形態によれば、基地局はＭＭＥからアップデートされたＵＥのＣＳＧ身元状態情報を取得し、これにより、ＵＥのＣＳＧ身元状態のアップデートを即時に対応する基地局に知らせ、基地局或いはＭＭＥがデュアル接続アーキテクチャの後続操作を確実に行わせるようにする。
【図１】
0006345336.tif 000002
【図２】
0006345336.tif 000003
【図３】
0006345336.tif 000004
【図４】
0006345336.tif 000005
【図５】
0006345336.tif 000006
【図６】
0006345336.tif 000007
【図７】
0006345336.tif 000008
【図８】
0006345336.tif 000009
【図９】
0006345336.tif 000010
【図１０】
0006345336.tif 000011
【図１１】
0006345336.tif 000012
【図１２】
0006345336.tif 000013
【図１３】
0006345336.tif 000014
【図１４】
0006345336.tif 000015